(57)【要約】【課題】喫茶店やレストラン等の飲食店、本屋または衣料品店で手荷物を便利に置くことができるようにした手荷物置台を提供する。【解決手段】キャスタ１４ａ〜１４ｄが設けられ、床面に対して移動自在とされた載置部１１と、載置部１１の一方の縁部に取り付けられた伸縮自在のストッパ部１２と、載置部１１の他方の縁部に取り付けられた把持部１３とから手荷物置台１０を構成し、手荷物置台１０を椅子１の座部２の下に収納可能とする。これにより、邪魔にならずに、重い手荷物を置くことができる。ストッパ部１２を引き伸ばして椅子１の座部２の下に収納しておくと、椅子１の座部２の下から引き出したときに、ストッパ部２の両端が椅子１の脚に当接し、移動範囲が規制されるようになり、椅子１と手荷物置台１０とを一体化して使える。【選択図】　　　　図１
0003099159.tif 000002
【実用新案登録請求の範囲】
【請求項１】
４本の脚部を備えた構造物の下に収納可能とされた手荷物置台であって、
手荷物を載置するための載置部と、
前記載置部を床面に対して移動自在に支持する移動支持部と、
前記載置部の一方の縁部に取り付けられた伸縮自在のストッパ部と、
前記載置部の他方の縁部に取り付けられた把持部とからなり、
前記ストッパ部を前記４本の脚部を備えた構造物の隣接する二本の脚間から抜け出ないように引き伸ばして前記４本の脚部を備えた構造物の下に収納しておき、前記４本の脚部を備えた構造物の座部の下から引き出したときに、前記ストッパ部が前記４本の脚部を備えた構造物の隣接する二本の脚に当接し、移動範囲が規制されるようにしたことを特徴とする手荷物置台。
【請求項２】
前記ストッパ部は、その両端の長さが調整可能であることを特徴とする請求項１に記載の手荷物置台。
【請求項３】
前記ストッパ部は、棒状の部材からなることを特徴とする請求項１または請求項２に記載の手荷物置台。
【請求項４】
前記ストッパ部は、左右に分割された２本の棒状の部材からなることを特徴とする請求項１または請求項２に記載の手荷物置台。
【請求項５】
前記移動支持部は、４つの車輪からなることを特徴とする請求項１に記載の手荷物置台。
【請求項６】
前記移動支持部は、２つの車輪と固定足とからなることを特徴とする請求項１に記載の手荷物置台。
【請求項７】
前記把持部は、前記構造物の下に収納したときに前記構造物の所定の部分に当接する高さになることを特徴とする請求項１に記載の手荷物置台。
【請求項８】
前記把持部は、伸縮可能とされたことを特徴とする請求項１に記載の手荷物置台。
【請求項９】
前記把持部は、２つの中空部材と、前記２つの中空部材に取り付けられるコの字状部材（Ｕ字状部材を含む、以下同様）とからなり、前記２つの中空部材にコの字状部材を係合させ、前記２つの中空部材に対してコの字状部材を摺動させ、前記把持部の高さを伸縮させることを特徴とする請求項８に記載の手荷物置台。
【請求項１０】
前記２つの中空部材にコの字状部材を係合させ、前記２つの中空部材に対してコの字状部材を摺動させ、前記中空部材に穿設された孔と、コの字状部材に穿設された孔を固定部材で固定するようにしたことを特徴とする請求項９に記載の手荷物置台。
【請求項１１】
４本の脚部を備えた構造物の下に収納可能とされた手荷物置台であって、
手荷物を載置するための載置部と、
前記載置部を床面に対して移動自在に支持する移動支持部と、
前記載置部の一方の縁部に取り付けられた固定式ストッパ部と、
前記載置部の他方の縁部に取り付けられた把持部とからなり、
前記ストッパ部を前記４本の脚部を備えた構造物の隣接する二本の脚間から抜け出ないように前記４本の脚部を備えた構造物の下に収納しておき、前記４本の脚部を備えた構造物の座部の下から引き出したときに、前記ストッパ部が前記４本の脚部を備えた構造物の隣接する二本の脚に当接し、移動範囲が規制されるようにしたことを特徴とする手荷物置台。
【請求項１２】
前記ストッパ部の先端は、前記構造物の隣接する二本の脚に応じた形状とされることを特徴とする請求項１１に記載の手荷物置台。
【請求項１３】
前記ストッパ部の先端は、棒状、Ｌ字状、コの字状の形状であることを特徴とする請求項１１に記載の手荷物置台。
【請求項１４】
前記移動支持部は、４つの車輪からなることを特徴とする請求項１１に記載の手荷物置台。
【請求項１５】
前記移動支持部は、２つの車輪と固定足とからなることを特徴とする請求項１１に記載の手荷物置台。
【請求項１６】
前記把持部は、前記構造物の下に収納したときに前記構造物の所定の部分に当接する高さにとなることを特徴とする請求項１１に記載の手荷物置台。
【請求項１７】
前記把持部は、伸縮可能とされたことを特徴とする請求項１１に記載の手荷物置台。
【請求項１８】
前記把持部は、２つの中空部材と、前記２つの中空部材に取り付けられるコの字状部材とからなり、前記２つの中空部材にコの字状部材を係合させ、前記２つの中空部材に対してコの字状部材を摺動させ、前記把持部の高さを伸縮させることを特徴とする請求項１７に記載の手荷物置台。
【請求項１９】
前記２つの中空部材にコの字状部材を係合させ、前記２つの中空部材に対してコの字状部材を摺動させ、前記中空部材に穿設された孔と、コの字状部材に穿設された孔を固定部材で固定するようにしたことを特徴とする請求項１８に記載の手荷物置台。
【考案の詳細な説明】
【０００１】
【考案の属する技術分野】
本考案は、喫茶店やレストランなどの飲食店、本屋、衣料品店で手荷物を置くのに用いて好適な手荷物置台に関するもので、特に、飲食店の椅子の脚部の間に収納することができる手荷物置台に関する。
【０００２】
【従来の技術】
喫茶店やレストラン等の飲食店に入るときに、手荷物を持っていると、その置き場に苦労することが多い。通常、手荷物を持って飲食店に入った客は、空いている席があれば、空いている席を手荷物置きとして使っている。
【０００３】
しかしながら、空いている席を手荷物置きとして使うのでは、荷物の取り出しに不便である。たとえば、二人席に一人で座る場合には、向かい側の椅子が手荷物置き場となる。ところが、向かい側の椅子に手荷物置を置いてしまうと、手荷物を出し入れする際に、前屈みにならなければならない。
【０００４】
また、二人席に二人で座っている場合や、四人席に四人で座っている場合には、空き席がなくなる。この場合には、空き席を手荷物置きにすることすらできず、手荷物を持った客は、持ってきた手荷物を肘に抱えたままにするか、または、手荷物を床上に直接置かざるを得ない。
【０００５】
また、上着や肩掛けカバンなどを、椅子の背もたれや肘掛けに引っ掛けている光景をよく目にする。しかしながら、椅子の背もたれや肘掛けに荷物を引っ掛けることは、椅子の寿命の点から、好ましいことではない。特に、近年、数キログラムのノート型のパーソナルコンピュータをカバンに入れて持ち歩く人が多い。このような重量のあるカバンが椅子の背もたれや肘掛けに引っ掛けられると、椅子に大きなダメージを与え、椅子の寿命が縮まる。
【０００６】
そこで、来客の手荷物が置けるように、椅子とともに荷物置台が用意されている場合がある。ところが、荷物置台を用意すると、店舗スペースが狭くなり、また、このような荷物置台は、来客の通行に邪魔になり、危険な場合もある。
【０００７】
また、たとえば、特許文献１に示されているように、椅子の座板の下に手荷物置きの棚板を取り付け、手荷物を置く場合には、その棚板を椅子の下から引き出し、その上に手荷物を置けるようにしたものが提案されている。
【０００８】
【特許文献１】
特開平８−２９４４２９号公報
【０００９】
【考案が解決しようとする課題】
ところが、特許文献１に示されるように、椅子の座板の下に手荷物置きの棚板を取り付けるような構造は、複雑であり、コスト高になる。また、椅子の下の棚板を出してその上に手荷物を置くためにために、直接、椅子に負荷がかかる。
【００１０】
本考案は、上述の課題を鑑み、喫茶店やレストラン等の飲食店で手荷物を便利に置くことができるようにした手荷物置台であって、来客の通行の邪魔になったり、店舗スペースが極力狭くなることがないと共に、重い手荷物も置くことができる手荷物置台を提供することを目的とする。
【００１１】
又、本考案は、本屋においても本棚の横に手荷物を置いて両手で本を捲りたいとき、衣料品店のハンガーの横に手荷物を置いて上着を試着したいとき、手荷物を便利に置くことができるようにした手荷物置台であって、来客の通行の邪魔になったり、店舗スペースが極力狭くなることがないと共に、重い手荷物も置くことができる手荷物置台を提供することを目的とする。
【００１２】
【課題を解決するための手段】
上述の課題を解決するために、本考案は、４本の脚部を備えた構造物の下に収納可能とされた手荷物置台であって、手荷物を載置するための載置部と、前記載置部を床面に対して移動自在に支持する移動支持部と、前記載置部の一方の縁部に取り付けられた伸縮自在のストッパ部と、前記載置部の他方の縁部に取り付けられた把持部とからなり、前記ストッパ部を前記４本の脚部を備えた構造物の隣接する二本の脚間から抜け出ないように引き伸ばして前記４本の脚部を備えた構造物の下に収納しておき、前記４本の脚部を備えた構造物の座部の下から引き出したときに、前記ストッパ部が前記４本の脚部を備えた構造物の隣接する二本の脚に当接し、移動範囲が規制されるようにしたことを特徴とする。
【００１３】
本考案によれば、床面に対して移動自在とされた載置部と、載置部の一方の縁部に取り付けられた伸縮自在のストッパ部と、載置部の他方の縁部に取り付けられた把持部とを有しているため、椅子に座っている人は、椅子に座ったまま、手荷物置台を椅子の座部の下から引き出したり、椅子の座部の下に押し込んだりすることができる。また、不使用時には、椅子の座部の下に手荷物置台を押し込んで収納することができ、来客の通行の邪魔になったり、店舗スペースを非効率化させることがない。伸縮自在のストッパ部が取り付けられ、ストッパ部を椅子の脚の間の距離より長くなるように引き伸ばして椅子の座部の下に収納される。このため、椅子の座部の下から引き出したときに、ストッパ部の両端が椅子の脚に当接し、移動範囲が規制され手荷物置台を椅子と一体化して使用できる。
【００１４】
好ましくは、前記ストッパ部は、その両端の長さが調整可能である。また、　前記ストッパ部は、棒状の部材からなる。また、前記ストッパ部は、左右に分割された棒状の部材からなる。ストッパ部の長さが調整可能なため、構造物の形状に応じて、ストッパ部の長さを設定でき、構造物と確実に一体化できる。
【００１５】
好ましくは、前記移動支持部は、４つの車輪からなる。また、前記移動支持部は、２つの車輪と固定足とからなる。車輪からなる移動支持部を設けることで、全体が移動自在になる。
【００１６】
好ましくは、前記把持部は、前記構造物の下に収納したときに前記構造物の所定の部分に当接する高さにとなる。また、前記把持部は、伸縮可能とされている。また、前記把持部は、２つの中空部材と、前記２つの中空部材に取り付けられるコの字状（Ｕ字状部材を含む、以下同様）部材とからなり、前記２つの中空部材にコの字状部材を係合させ、前記２つの中空部材に対してコの字状部材を摺動させ、前記把持部の高さを伸縮させる。また、前記２つの中空部材にコの字状部材を係合させ、前記２つの中空部材に対してコの字状部材を摺動させ、前記中空部材に穿設された孔と、コの字状部材に穿設された孔を固定部材で固定する。把持部が伸縮自在とされているため、把持部の高さを、構造物の高さに応じて調整できる。把持部の高さを調整しておくと、構造物の下に収納したときに、把持部が構造物の所定の部分に当接し、構造物の下に収納したときの位置が規制されるようになる。
【００１７】
また、本考案は、４本の脚部を備えた構造物の下に収納可能とされた手荷物置台であって、手荷物を載置するための載置部と、前記載置部を床面に対して移動自在に支持する移動支持部と、前記載置部の一方の縁部に取り付けられた固定式ストッパ部と、前記載置部の他方の縁部に取り付けられた把持部とからなり、前記固定式ストッパ部を前記４本の脚部を備えた構造物の隣接する二本の脚間から抜け出ないように収納しておき、前記４本の脚部を備えた構造物の座部の下から引き出したときに、前記ストッパ部が前記４本の脚部を備えた構造物の隣接する二本の脚に当接し、移動範囲が規制されるようにしたことを特徴とする。
【００１８】
また、本考案によれば、床面に対して移動自在とされた載置部と、載置部の一方の縁部に取り付けられた伸縮自在のストッパ部と、載置部の他方の縁部に取り付けられた把持部とを有しているため、椅子に座っている人は、椅子に座ったまま、手荷物置台を椅子の座部の下から引き出したり、椅子の座部の下に押し込んだりすることができる。また、不使用時には、椅子の座部の下に手荷物置台を押し込んで収納することができ、来客の通行の邪魔になったり、店舗スペースを非効率化させることがない。椅子の座部の下から引き出したときに、ストッパ部の両端が椅子の脚に当接し、移動範囲が規制され手荷物置台を椅子と一体化して使用できる。
【００１９】
好ましくは、前記ストッパ部の先端は、前記構造物の隣接する二本の脚に応じた形状とされる。また、前記ストッパ部の先端は、棒状、Ｌ字状、コの字状の形状とされる。前記ストッパ部の先端は、前記構造物の隣接する二本の脚に応じた形状とされているため、構造物の下に収納したとき、あるいは、構造物から引き出したときに、確実に固定できる。
【００２０】
好ましくは、前記移動支持部は、４つの車輪からなる。また、前記移動支持部は、２つの車輪と固定足とからなる。車輪からなる移動支持部を設けることで、全体が移動自在になる。
【００２１】
好ましくは、前記把持部は、前記構造物の下に収納したときに前記構造物の所定の部分に当接する高さにとなる。また、前記把持部は、伸縮可能とされている。また、前記把持部は、２つの中空部材と、前記２つの中空部材に取り付けられるコの字状部材とからなり、前記２つの中空部材にコの字状部材を係合させ、前記２つの中空部材に対してコの字状部材を摺動させ、前記把持部の高さを伸縮させる。また、前記２つの中空部材にコの字状部材を係合させ、前記２つの中空部材に対してコの字状部材を摺動させ、前記中空部材に穿設された孔と、コの字状部材に穿設された孔をピンで固定する。把持部が伸縮自在とされているため、把持部の高さを、構造物の高さに応じて調整できる。把持部の高さを調整しておくと、構造物の下に収納したときに、把持部が構造物の所定の部分に当接し、構造物の下に収納したときの位置が規制されるようになる。
【００２２】
【考案の実施の形態】
第１の実施の形態
以下、本考案の実施の形態について図面を参照しながら説明する。図１は、本考案の第１の実施の形態の全体構成を示す図である。図１において、椅子１は、座部２と、脚３ａ〜３ｄと、背部４とからなる。ここで、椅子１は、レストランや喫茶店などに使われている汎用の椅子である。
【００２３】
本考案の第１の実施の形態の手荷物置台１０は、その底面にキャスタ１４ａ〜１４ｄが取り付けられた載置部１１と、載置部１１の一方の縁部に取り付けられた伸縮自在のストッパ部１２と、載置部の他方の縁部に取り付けられた把持部１３とから構成される。
【００２４】
図１（Ａ）は、手荷物置台１０を椅子１の座部２の下に収納しているときの状態を示す図である。空席時や、客が荷物を持っていないときには、手荷物置台１０は、図１（Ａ）に示すように、椅子１の座部２の下に収納される。このように、手荷物置台１０が椅子１の座部２の下に収納されるため、手荷物置台１０が通行等の邪魔にならない。
【００２５】
図１（Ｂ）は、手荷物置台１０を椅子１の座部２の下から引き出したときの状態を示す図である。椅子１に座った客が手荷物置台１０に手荷物１５を置くときには、図１（Ｂ）に示すように、手荷物置台１０が椅子１の座部２の下から引き出し、手荷物置台１０の載置部１１上に、手荷物１５を置く。
【００２６】
載置部１１の底面には、図２に示すように、キャスタ１４ａ〜１４ｄが取り付けられている。このため、手荷物置台１０全体は、床面に対して容易に移動可能である。図１（Ａ）に示すように、手荷物置台１０が椅子１の座部２の下に収納されている状態にあるときには、把持部１３を持って、手荷物置台１０全体を引き出せば、手荷物置台１０全体が動き、図１（Ｂ）に示すような手荷物置台１０が椅子１の座部２から引き出された状態になる。また、図１（Ｂ）に示すように、手荷物置台１０が椅子１の座部２から引き出された状態にあるときには、把持部１３を持って、手荷物置台１０全体を押し込めば、図１（Ａ）に示すような手荷物置台１０が椅子１の座部２の下に収納されている状態になる。椅子１に座っている人は、椅子１に座ったまま、把持部１３を片手で持って、手荷物置台１０全体を椅子１の座部２の下から引き出したり、椅子１の座部２の下に押し込んだりすることができる。
【００２７】
手荷物置台１０は、椅子１と独立しており、キャスタ１４ａ〜１４ｄにより支えられている。このため、重い手荷物１５を載置しても、椅子１に支障を与えることがない。また、椅子１として特殊なものを用いる必要がなく、どのような大きさや形状の椅子にも対応できる。また、キャスタ１４ａ〜１４ｄにより手荷物置台１０が容易に移動自在である。このため、椅子１に着席した人は、椅子１を前後左右に楽に動かすことができ、手荷物置台１０が邪魔にならない。
【００２８】
載置部１１の一方の縁部には、把持部１３が設けられている。この把持部１３は、上述のように、手荷物置台１０全体を椅子１の座部２の下から引き出したり、椅子１の座部２の下に押し込んだりする際に、把手として用いられる。また、載置部１１の縁部に把持部１３が設けられているため、手荷物１５が把持部１３に支えられ、手荷物１５が外にはみ出し、通行の邪魔になることが防止できる。また、手荷物１５を把持部１３に立てかけるようにして置くこともできる。把持部１３の高さは、手荷物置台１の下に収納したときに、把手部１３の上側が座部２の側面に当接するように、椅子１の座部２の高さより、僅かに高くすることが望ましい。
【００２９】
上述のように、本実施の形態の手荷物置台１０全体は、床面に対して移動自在となっている。ところが、手荷物置台１０全体が移動自在であると、手荷物置台１０が椅子１から離れてしまう可能性があり、通行の邪魔になることが考えられる。
【００３０】
そこで、本実施の形態の手荷物置台１０には、伸縮自在のストッパ部１２が設けられる。図２に示すように、手荷物置台１０を椅子１の座部２の下に収納したときに、手荷物置台１０が椅子１から離れることがないようにい、ストッパ部１２が引き延ばされる。ストッパ部１２の長さＬは、ストッパ部１２を斜めにしてもストッパ部１２が椅子１の脚３ｂと脚３ｃとの間から抜けることがないように、椅子１の脚３ｂと脚３ｃとの間の長さに対して十分に長くなるように引き延ばされる。このように、ストッパ部１２が引き延ばされていると、手荷物置台１０が矢印Ａ方向に動かされ、手荷物置台１０が椅子１から離れようとすると、ストッパ部１２の両端１２ａ、１２ｂが椅子１の脚３ｂおよび３ｃに当接し、手荷物置台１０が移動できなくなる。これにより、手荷物置台１０の移動範囲が椅子１の近傍に規制され、手荷物置台１０を椅子１と一体化して使用できる。
【００３１】
以上のように、本実施の形態の手荷物置台１０は、キャスタ１４ａ〜１４ｄが取り付けられ、床面を移動自在とされている。このため、椅子１に座っている人は、椅子１に座ったまま、把持部１３を片手で持って、手荷物置台１０全体を椅子１の座部２の下から引き出したり、椅子１の座部２の下に押し込んだりすることができる。手荷物１５を置くときには、椅子１の横に手荷物置台１０が位置するようになるため、使い勝手が良好であると共に、椅子１と独立して構成されるため、重い手荷物１５を置いても負担にならない。不使用時には、椅子１の座部２の下に手荷物置台１０を押し込んで収納することができ、来客の通行の邪魔にならない。小さな手荷物１５の場合、おいたまま手荷物を押し込んで収納できる。さらに、伸縮自在のストッパ部１２が取り付けられているため、手荷物置台１０の移動範囲が椅子１の近傍に規制され、手荷物置台１０を椅子１と一体化して使用できる。
【００３２】
次に、本考案の第１の実施の形態の手荷物置台１０の具体構成について説明する。図３（Ａ）〜図３（Ｃ）は、本考案の第１の実施の形態における手荷物置台１０の具体的な構成を示すものである。
【００３３】
図３（Ａ）〜図３（Ｃ）において、載置部１１は、合成樹脂や木製、あるいは金属製の板材から形成される。載置部１１の下部には、たとえば４つのキャスタ１４ａ〜１４ｄが取り付けられている。
【００３４】
図３（Ａ）に示すように、本実施の形態の手荷物置台１０は、線分Ａ−Ａを中心として、軸対称の形状となっている。このため、椅子１の右側に手荷物置台１０を置くことも、椅子１の左側に手荷物置台１０を置くこともできる。手荷物置台１０を椅子１の右側に置くか、左側に置くかは、店のレイアウト、椅子の置き場所、椅子の脚の構造等により決められる。
【００３５】
なお、載置部１１として、板材を使用する代わりに、図４に示すように、載置部１１の基台として、フレーム部材２１を置くと共に、枠状部材２３に布やビニルのシート２４を張り、このシート２４が張られた枠状部材２３をフレーム部材２１上に載置して、載置部１１を構成するようにしてもよい。なお、枠状部材２３に布やビニルのシート２４を張る代わりに、網を張るようにしてもよい。載置部１１の構成は、このようなものに限定されず、種々の実現方法がある。
【００３６】
図３（Ａ）〜図３（Ｃ）において、キャスタ１４ａ〜１４ｄは、自在な方向に移動できるものが用いられる。なお、キャスタ１４ｂと１４ｃとしては、ストッパ付きのものを用いることが望ましい。キャスタ１４ｂ、１４ｃとしてストッパ付きのものを用いれば、キャスタ１４ｂ、１４ｃの動きをロックさせることができる。キャスタ１４ｂ、１４ｃの動きをロックさせておけば、不使用時に、手荷物置台１０が不用意に動いてしまうのを防止することができる。
【００３７】
載置部１１の一方の縁部には、ストッパ部１２が取り付けられる。ストッパ部１２は、容易に伸縮自在とされている。このような伸縮自在のストッパ部１２は、たとえば、図５に示すように、パイプ部材３１と、棒状部材３２および３３とから構成できる。
【００３８】
図５（Ａ）において、パイプ部材３１は、たとえば、スチール、ステンレス、またはアルミニウム等の金属製の中空円筒状のパイプ部材である。パイプ部材３１には、孔３５および３６が穿設されている。
【００３９】
棒状部材３２および３３は、たとえば、スチール、ステンレス、またはアルミニウム等の金属製の円筒状の部材である。棒状部材３２および３３の外径は、パイプ部材３１の内径に対応する。棒状部材３２および３３には、それぞれ、複数の孔３７ａ、３７ｂ、３７ｃ、…、孔３８ａ、３８ｂ、３８ｃ、…が穿設されている。
【００４０】
図５（Ｂ）に示すように、パイプ部材３１の両端に、棒状部材３２および３３がそれぞれ挿入される。そして、棒状部材３２および３３を摺動して、パイプ部材３１の孔３５と棒状部材３２の孔３７ａ、３７ｂ、３７ｃ、…のいずれかとが連通するように、棒状部材３２の位置が調整され、また、パイプ部材３１の孔３６と棒状部材３３の孔３８ａ、３８ｂ、３８ｃ、…のいずれかとが連通するように、棒状部材３３の位置が調整される。パイプ部材３１の孔３５と棒状部材３２の孔３７ａ、３７ｂ、３７ｃ、…のいずれかとが連通されて形成される孔に、ピン３９が挿入され、パイプ部材３１の孔３６と棒状部材３３の孔３８ａ、３８ｂ、３８ｃ、…のいずれかとが連通されて形成される孔に、ピン４０が挿入される。このピン３９および４０により、棒状部材３２および３３の位置が固定される。なお、ピン３９および４０の代わりに、ネジを用いるようにしてもよい。
【００４１】
このようなストッパ部１２では、ピン３９が挿入される棒状部材３２の孔３７ａ、３７ｂ、３７ｃ、…の位置、およびピン４０が挿入される棒状部材３３の孔３８ａ、３８ｂ、３８ｃ、…の位置を調整することで、ストッパ部１２の長さが簡単に伸縮できる。
【００４２】
ストッパ部１２は、図３（Ｂ）に示したように、たとえば載置部１１の縁部の側面に固定される。また、ストッパ部１２は、図６に示すように、載置部１１の上面に固定するようにしてもよい。
【００４３】
なお、この例では、ピン３９および４０により、パイプ部材３１の両端に、棒状部材３２および３３を伸縮自在に取り付けて、伸縮自在のストッパ部１２を構成しているが、これに限定されるものではない。
【００４４】
たとえば、図７に示すように、パイプ部材３１に複数の孔４７ａ、４７ｂ、４７ｃ、…および孔４８ａ、４８ｂ、４８ｃ、…を穿設し、棒状部材３２および３３にスプリングにより付勢されたボール４５および４６を埋設し、パイプ部材３１の孔４７ａ、４７ｂ、４７ｃ、…および孔４８ａ、４８ｂ、４８ｃ、…のいずれかと、棒状部材３２および３３のボール４５および４６とをそれぞれ係合させて、パイプ部材３１の両端に、棒状部材３２および３３を伸縮自在に取り付けるようにしてもよい。このような構成では、棒状部材３２および３３を出し入れすることで、ストッパ部１２の長さを簡単に変えることができる。
【００４５】
また、図８に示すように、パイプ部材３１および棒状部材３２、３３の代わりに、中空の角柱部材５１および角柱部材５２、５３とから、伸縮自在のストッパ部１２を構成するようにしてもよい。なお、図８において、図５と対応する部分には同一の符号を付し、その説明を省略する。
【００４６】
また、上述の例では、ストッパ部１２を１本の棒状の部材で構成しているが、図９に示すように、左右のストッパ部１２ａと１２ｂとに分割して構成するようにしてもよい。図１０（Ａ）に示すように、各ストッパ部１２ａ、１２ｂは、伸縮自在に構成される。図１０（Ｂ）に示すように、２本のパイプ部材３１ａおよび３１ｂに、それぞれ、棒状部材３２および３３がそれぞれ挿入される。そして、パイプ部材３１ａの孔３５と棒状部材３２の孔３７ａ、３７ｂ、３７ｃ、…のいずれかとが連通するように、棒状部材３２を摺動して位置が調整され、また、パイプ部材３１ｂの孔３６と棒状部材３３の孔３８ａ、３８ｂ、３８ｃ、…のいずれかとが連通するように、棒状部材３３を摺動して置が調整される。ピン３９およびピン４０により、パイプ部材３１ａと棒状部材３２およびパイプ部材３１ｂと棒状部材３３とが固定される。ピン３９が挿入される棒状部材３２の孔３７ａ、３７ｂ、３７ｃ、…の位置、およびピン４０が挿入される棒状部材３３の孔３８ａ、３８ｂ、３８ｃ、…の位置を調整することで、ストッパ部１２の長さが伸縮できる。
【００４７】
図３（Ａ）〜図３（Ｃ）において、載置部１１の他方の縁部には、把持部１３が取り付けられる。把持部１３は、たとえば、スチール、ステンレス、またはアルミニウム等の金属製のパイプ部材をコの字状に成形して構成されている。ここでは、円柱状のパイプ部材により把持部１３を形成しているが、四角柱の部材や断面Ｌ字形の部材、断面コ字形の部材を使うようにしてもよい。把持部１３は、手荷物置台全体を椅子１の下から引き出したり、椅子１の下に収納する際に把手となる。把持部１３をパイプ部材をコの字状に成形して構成すると、把持部１３が持ちやすくなる。
【００４８】
なお、上述の例では、把持部１３をパイプ部材をコの字状に成型して構成しているが、図１１に示すように、把持部１３として、板材５５を用いるようにしてもよい。また、把持部１３として、板材５５を用いるようにした場合には、板材５５に、把手穴５６を形成しておくと、手荷物置台全体を引き出したり、椅子１の下に収納したりする際に便利になる。また、板材５５と載置部１１とをプラスチック等の材料で一体形成するようにしても良い。
【００４９】
前述の実施の形態では、載置部１１の底部に４つのキャスタ１４ａ〜１４ｄを取り付けるようにしているが、図１２に示すように、ストッパ部１２に近い方の２つのキャスタ１４ａ、１４ｄは残しておき、把持部１３に近い方のキャスタの代わりに、固定足５４を設けるようにしてもよい。
【００５０】
図１２の例では、手荷物置台１０を移動する際に、ユーザは、把持部１３を持って、手荷物置台１０を引き上げる。これにより、固定足５４が床面から離れ、キャスタ１４ａ、１４ｄにより、手荷物置台１０を移動できるようになる。ユーザは、把持部１３を持って手荷物置台１０を引き上げ、キャスタ１４ａ、１４ｄにより、手荷物置台１０を移動させる。そして、手荷物置台１０が移動されたら、ユーザは、把持部１３を離し、固定足５４を床に置く。固定足５４を床に置くと、手荷物置台１０が動かなくなる。このように、この実施の形態では、載置部１１の把持部１３に近い方には、キャスタの代わりに固定足５４が設けられているので、不使用時に手荷物置台１０が不用意に動いてしまうことが防止できる。
【００５１】
第２の実施の形態
図１３は、本考案の第２の実施の形態を示すものである。前述の第１の実施の形態では、把持部１３の高さが一定であるのに対して、この第２の実施の形態では、把持部１３の高さが変えられるようになっている。
【００５２】
すなわち、第２の実施の形態では、把持部１３は、図１４に示すように、載置部１１に垂設されたパイプ部材６１および６２と、コの字状部材６３とから構成される。パイプ部材６１および６２には、孔６４および６５がそれぞれ穿設される。コの字状部材６３の両端には、複数の孔６６ａ、６６ｂ、６６ｃ、…および孔６７ａ、６７ｂ、６７ｃ、…が穿設される。
【００５３】
パイプ部材６１および６２に、コの字状部材６３の両端が挿入され、コの字状部材６３の両端を摺動して、パイプ部材６１の孔６４とコの字状部材６３の一端の孔６６ａ、６６ｂ、６６ｃ、…のいずれかとが連通され、また、パイプ部材６２の孔６５とコの字状部材６３の他端の孔６７ａ、６７ｂ、６７ｃ、…のいずれかとが連通されるように、コの字状部材６３の位置が調整される。パイプ部材６１の孔６４とコの字状部材６３の一端の孔６６ａ、６６ｂ、６６ｃ、…のいずれかとが連通されて形成される孔に、ピン６８が挿入され、パイプ部材６２の孔６５とコの字状部材６３の他端の孔６７ａ、６７ｂ、６７ｃ、…のいずれかとが連通されて形成される孔に、ピン６９が挿入される。このピン６８および６９により、コの字状部材６３がパイプ部材６１および６２に固定される。なお、ピン６８および６９の代わりに、ネジを用いるようにしてもよい。ピン６８が挿入されるコの字状部材６３の一端の孔６６ａ、６６ｂ、６６ｃ、…の位置、およびピン６９が挿入されるコの字状部材６３の他端の孔６７ａ、６７ｂ、６７ｃ、…の位置を調整することで、把持部１３の上端の高さが伸縮できる。
【００５４】
このように、第２の実施の形態では、把持部１３の高さが伸縮自在となっている。図１５に示すように、把持部１３の高さＬ１１は、椅子１の座部２の高さＬ１２より、僅かに高くなるように調整される。このように、把持部１３の高さＬ１１を、椅子１の座部２の高さＬ１２より、僅かに高くなるように調整しておくと、手荷物置台１０を椅子１の下に収納したときに、把持部１３の上部が椅子１の座部２の側面に当接する。これにより、手荷物置台１０を椅子１の下に収納したときの位置が規制されるようになり、手荷物置台１０が椅子１の中央にまで移動してしまうことが防止できる。
【００５５】
第３の実施の形態
図１６および図１７は、本考案の第３の実施の形態を示すものである。前述のの実施の形態では、ストッパ部１２が伸縮自在とされており、椅子１の脚３ｂと３ｃとの間の距離に応じて、ストッパ部１２の長さが調整できる。ストッパ部１２の長さが伸縮自在とされていると、ストッパ部材１２の長さを、椅子１の脚３ｂと３ｃとの間の距離に応じて、最適に調整できる。これに対して、この実施の形態では、所定の長さのストッパ部１２を棒状部材から構成されている。この実施の形態は、ストッパ部１２の長さが固定されるようにしている他は、前述の第１の実施の形態と同様であり、同一部分には同一の符合を付する。
【００５６】
このように、この実施の形態では、所定の長さのストッパ部１２を棒状部材から構成されている。喫茶店やレストランで使われている椅子の大きさはある程度決まっており、また、一つの店内では、同一の椅子が用いられていることが多い。椅子１の大きさがある程度決まっていることを考慮すると、図１６および図１７に示すように、ストッパ部１２として、長さが固定のものが用いることができる。ストッパ部１２の長さが固定のものを用いると、ストッパ部１２が伸縮自在のものを使った場合に比べて、構造が単純化し、強度が上がると共に、コストダウンを図ることができる。
【００５７】
図１８、図１９は、本考案の第３の実施の形態において他の把持部を用いる斜視図である。図１６および図１７の例では、把持部１３のはコの字型の把持部を用い、１４ａ〜１４ｄまでの４つのキャスタを用いている。図１８、図１９は、把持部１３に図１１に示される板材５５を用い、キャスタ１４ｂ、１４ｃに対応する部分は固定足５４を用いたものである。
このような構成によって、図１２と同様に、手荷物置台１０を移動する際に、ユーザは、把持部１３を持って、手荷物置台１０を引き上げる。これにより、固定足５４が床面から離れ、キャスタ１４ａ、１４ｄにより、手荷物置台１０を移動できるようになる。ユーザは、把持部１３を持って手荷物置台１０を引き上げ、キャスタ１４ａ、１４ｄにより、手荷物置台１０を移動させる。そして、手荷物置台１０が移動されたら、ユーザは、把持部１３を離し、固定足５４を床に置く。固定足５４を床に置くと、手荷物置台１０が動かなくなる。このように、この実施の形態では、載置部１の把持部１３に近い方には、キャスタの代わりに固定足５４が設けられているので、不使用時に手荷物置台１０が不用意に動いてしまうことが防止できる。
なお、このような構成においては、載置部１１と把持部１３の板材５５とを、たとえば、プラスチック等の材料で一体化して構成することもできる。また、載置部１１、把持部１３の板材５５およびストッパ部１２の全てを、たとえば、プラスチック等の材料で一体形成するようにしても良い。
【００５８】
図１６および図１７の例では、ストッパ部１２を直線部材から構成しているが、図２０および図２１に示すように、ストッパ部１２の先端１２ａおよび１２ｂをＬ字状に折り曲げるようにしてもよい。図２０および図２１の例では、ストッパ部１２の先端１２ａおよび１２ｂがＬ字状に折り曲げられている。
【００５９】
ストッパ部１２の先端１２ａおよび１２ｂをＬ字状に折り曲げることによって、ストッパ部１２の先端１２ａおよび１２ｂが突出しないのでユーザがストッパ部１２の先端でケガをすることがなくなり、安全性の面から好ましいものである。
【００６０】
また、図２２および図２３に示すように、ストッパ部１２の先端１２ａおよび１２ｂをコの字状に折り曲げるようにしてもよい。
【００６１】
このように、ストッパ部１２の先端１２ａおよび１２ｂをコの字状に折り曲げることによって、ストッパ部１２の先端１２ａおよび１２ｂが突出しないのでユーザがストッパ部１２の先端でケガをすることがなくなり、安全性の面から好ましいものである。
【００６２】
応用例
以上のように、本考案が適用された手荷物置台１０は、喫茶店やレストランの椅子１の下に置き、喫茶店やレストランの客の荷物置きに用いて好適である。更に、本考案が適用された手荷物置台１０は、椅子や机の下に限らず、４本の脚を有する他の構造物の下に置いて、同様に使用することができる。
【００６３】
図２４は、本考案が適用された手荷物置台１０を衣料品店の衣類掛けの下に置くようにした例を示すものである。図２４において、衣類掛け１００は、脚１０３ａ、１０３ｂを有するベース部材１０４と、脚１０３ｃ、１０３ｄを有するベース部材１０５との間に、連接部材１０６を連接して基台部１１０を構成し、ベース部材１０４およびベース部材１０５に垂設部材１０７および垂設部材１０８を垂設し、垂設部材１０７と垂設部材１０８との間に、架設部材１０９を架設して構成される。架設部材１０９には、複数の衣類１１１がハンガーにより吊される。
【００６４】
このように構成される衣類掛け１００において、ベース部材１０４，１０５の下に、本考案が適用された手荷物置台１０が配置される。使用時には、衣類掛け１００の基台部１１０から手荷物置台１０が引き出される。この手荷物置台１０には、たとえば客が上着の試着をするときに、客の荷物を置くことができる。
【００６５】
図２５は、本考案が適用された手荷物置台１０を書店の書棚の下に置くようにした例を示すものである。図２５において、書棚２００は、４本の脚２０３、２０３、２０３，２０３により支持されている。書棚２００には、複数の本が収納されている。
【００６６】
このように構成される書棚２００の下に、本考案が適用された手荷物置台１０が配置される。使用時には、書棚２００から手荷物置台１０が引き出される。この手荷物置台１０には、書店の客の荷物を置くことができる。
【００６７】
本考案は、上述した実施形態に限定されるものではなく、本考案の要旨を逸脱しない範囲内で様々な変形や応用が可能である。
【００６８】
【考案の効果】
本考案によれば、床面に対して移動自在とされた載置部と、載置部の一方の縁部に取り付けられた伸縮自在のストッパ部と、載置部の他方の縁部に取り付けられた把持部とを有しているため、椅子に座っている人は、椅子に座ったまま、手荷物置台を椅子の座部の下から引き出したり、椅子の座部の下に押し込んだりすることができる。また、不使用時には、椅子の座部の下に手荷物置台を押し込んで収納することができ、来客の通行の邪魔になったり、店舗スペースを非効率化させたりすることがない。伸縮自在のストッパ部が取り付けられ、ストッパ部を椅子の脚の間の距離より長くなるように引き伸ばして椅子の座部の下に収納される。このため、椅子の座部の下から引き出したときに、ストッパ部の両端が椅子の脚に当接し、移動範囲が規制され手荷物置台を椅子と一体化して使用できる。
【００６９】
また、本考案によれば、ストッパ部の長さが調整可能なため、構造物の形状に応じて、ストッパ部の長さを設定でき、構造物と確実に一体化できる。
【００７０】
また、本考案によれば、移動支持部を、４つの車輪からまたは２つの車輪と固定足とから構成することで、全体が移動自在になる。移動支持部を２つの車輪と固定足とから構成すると、手荷物置台を床面に置いたときに、その動きがロックされる。
【００７１】
また、本考案によれば、把持部が伸縮自在とされているため、把持部の高さを、構造物の高さに応じて調整できる。把持部の高さを調整しておくと、構造物の下に収納したときに、把持部が構造物の所定の部分に当接し、構造物の下に収納したときの位置が規制されるようになる。
【００７２】
本考案によれば、床面に対して移動自在とされた載置部と、載置部の一方の縁部に取り付けられた伸縮自在のストッパ部と、載置部の他方の縁部に取り付けられた把持部とを有しているため、椅子に座っている人は、椅子に座ったまま、手荷物置台を椅子の座部の下から引き出したり、椅子の座部の下に押し込んだりすることができる。また、不使用時には、椅子の座部の下に手荷物置台を押し込んで収納することができ、来客の通行の邪魔になったり、店舗スペースを非効率化させることがない。椅子の座部の下から引き出したときに、ストッパ部の両端が椅子の脚に当接し、移動範囲が規制され手荷物置台を椅子と一体化して使用できる。
【００７３】
また、前記ストッパ部の先端は、前記構造物の隣接する二本の脚に応じた形状とされているため、構造物から引き出したときに、確実に固定できる。
【図面の簡単な説明】
【図１】本考案の第１の実施の形態の全体構成を示す斜視図である。
【図２】本考案の第１の実施の形態の説明に用いる底面図である。
【図３】本考案の第１の実施の形態の具体構成の説明に用いる正面図、平面図、および側面図である。
【図４】本考案の第１の実施の形態における載置部の他の例の分解斜視図である。
【図５】本考案の第１の実施の形態におけるストッパ部の一例の分解斜視図である。
【図６】本考案の第１の実施の形態におけるストッパ部の説明に用いる側面図である。
【図７】本考案の第１の実施の形態におけるストッパ部の他の例の分解斜視図である。
【図８】本考案の第１の実施の形態におけるストッパ部のさらに他の例の分解斜視図である。
【図９】本考案の第１の実施の形態におけるストッパ部のさらに他の例の説明に用いる斜視図である。
【図１０】本考案の第１の実施の形態におけるストッパ部のさらに他の例の分解斜視図である。
【図１１】本考案の第１の実施の形態における把持部の他の例の斜視図である。
【図１２】本考案の第１の実施の形態の移動支持部の他の例の説明に用いる正面図である。
【図１３】本考案の第２の実施の形態の斜視図である。
【図１４】本考案の第２の実施の形態における把持部の斜視図である。
【図１５】本考案の第２の実施の形態における把持部の高さの説明に用いる正面図である。
【図１６】本考案の第３の実施の形態の斜視図である。
【図１７】本考案の第３の実施の形態の説明に用いる斜視図である。
【図１８】本考案の第３の実施の形態において他の把持部を用いる斜視図である。
【図１９】本考案の第３の実施の形態において他の把持部を用いる斜視図である。
【図２０】本考案の第３の実施の形態におけるストッパ部の他の例の説明に用いる斜視図である。
【図２１】本考案の第３の実施の形態におけるストッパ部の他の例の説明に用いる斜視図である。
【図２２】本考案の第３の実施の形態におけるストッパ部の更に他の例の説明に用いる斜視図である。
【図２３】本考案の第３の実施の形態におけるストッパ部の更に他の例の説明に用いる斜視図である。
【図２４】本考案の第１の応用例を示す斜視図である。
【図２５】本考案の第２の応用例を示す斜視図である。
【符号の説明】
１…椅子、２…座部、３ａ〜３ｄ…脚、４…背部、１０…手荷物置台、１１…　載置部、１２…ストッパ部、１３…把持部、１４ａ〜１４ｄ…キャスタ
【図１】
0003099159.tif 000003
【図２】
0003099159.tif 000004
【図３】
0003099159.tif 000005
【図４】
0003099159.tif 000006
【図５】
0003099159.tif 000007
【図６】
0003099159.tif 000008
【図７】
0003099159.tif 000009
【図８】
0003099159.tif 000010
【図９】
0003099159.tif 000011
【図１０】
0003099159.tif 000012
【図１１】
0003099159.tif 000013
【図１２】
0003099159.tif 000014
【図１３】
0003099159.tif 000015
【図１４】
0003099159.tif 000016
【図１５】
0003099159.tif 000017
【図１６】
0003099159.tif 000018
【図１７】
0003099159.tif 000019
【図１８】
0003099159.tif 000020
【図１９】
0003099159.tif 000021
【図２０】
0003099159.tif 000022
【図２１】
0003099159.tif 000023
【図２２】
0003099159.tif 000024
【図２３】
0003099159.tif 000025
【図２４】
0003099159.tif 000026
【図２５】
0003099159.tif 000027